(57)【要約】【課題】屋根の上に容易に登ることができ、屋根の上での作業を安全に行うことができる屋根ハッチ及び止金具を提供する。【解決手段】屋根ハッチ１０は、底面を構成する、人が通過可能な大きさの第１の開口１２が形成された底板１１と、天井面を構成する、人が通過可能な大きさの第２の開口２２が形成された天井板２１と、底板１１と天井板２１とを連設して外周面を構成する側面板３１と、第１の開口１２に開閉可能に設けられた、閉状態において第１の開口１２における連通を遮断する底蓋１４と、第２の開口２２に開閉可能に設けられた天蓋２４と、底板１１の上面付近に側面板３１の下端部を貫通して設けられ、底板１１上の水を外部に排出させる排水管３６と、を備える。【選択図】図２
2014101681.tif 000002
【特許請求の範囲】
【請求項１】
建物の屋根に形成された貫通孔を覆って立設される屋根ハッチであって、
底面を構成する、人が通過可能な大きさの第１の開口が形成された底板と、
天井面を構成する、人が通過可能な大きさの第２の開口が形成された天井板と、
前記底板と前記天井板とを連設して外周面を構成する外周板と、
前記第１の開口に開閉可能に設けられた、閉状態において前記第１の開口における連通を遮断する底蓋と、
前記第２の開口に開閉可能に設けられた天蓋と、
前記底板の上面付近に前記外周板の下端部を貫通して設けられ、前記底板上の水を外部に排出させる排水通路と、
を備えることを特徴とする屋根ハッチ。
【請求項２】
前記外周板には人が通過可能な大きさの第３の開口が形成され、
当該第３の開口に開閉可能に設けられた扉をさらに備える、
ことを特徴とする請求項１に記載の屋根ハッチ。
【請求項３】
安全帯を係止するための係止部をさらに備える、
ことを特徴とする請求項１または２に記載の屋根ハッチ。
【請求項４】
屋根の棟を挟持する一対のクランプと、
当該一対のクランプを連接する、少なくとも２以上の部材から構成される本体部と、を備え、
前記本体部は、
安全帯を係止するための係止部を有し、
部材同士を締結部品により締結して組み立てられ、
前記締結部品による締結位置を変更することにより、両クランプ間の距離を変更することが可能に構成されている、
ことを特徴とする止金具。
【請求項５】
前記本体部の部材間に挟まれるスペーサをさらに備える、
ことを特徴とする請求項４に記載の止金具。
【請求項６】
前記スペーサは、前記本体部の部材との両接合面がハの字形に配置されている、
ことを特徴とする請求項５に記載の止金具。
【発明の詳細な説明】
【技術分野】
【０００１】
本発明は、屋根ハッチ及び止金具に関する。
【背景技術】
【０００２】
雪下ろしに関しては、作業の合理化や機械化が進むことなく、いまだに人手による従来からの方法の雪下ろしが行われている。しかし、雪下ろしは危険を伴う作業であり、落下等の雪下ろし中の事故が毎年多く発生している。また、都心部と比較して積雪地帯においては過疎化・高齢化が進んでおり、若手が不足しているため、高齢者が自ら雪下ろしを行っているケースが多い。そのことがさらに雪下ろし中の事故を増加させる原因となっている。
【０００３】
引用文献１には、雪下ろし中における屋根からの落下を防止するための落下防止装置が開示されている。
【０００４】
この落下防止装置は、屋根の軒先に起立材を取り付けて、作業者が転んだ場合でも、作業者を軒先で受け止めて、落下を防止するようにしたものである。
【先行技術文献】
【特許文献】
【０００５】
【特許文献１】特開２０１１−０５２４４９号公報
【発明の概要】
【発明が解決しようとする課題】
【０００６】
屋根の雪下ろし作業を行うためには、まず屋根に登る必要がある。屋根にも地面にも雪が積もっているため、屋根に梯子を掛けると梯子が不安定な状態で固定され、作業者の昇降中に梯子が倒れるおそれがある。
【０００７】
また、無事に屋根に登れたとしても、雪が積もった屋根の上は、斜面であるとともに滑りやすい。しかも、スコップにより雪をすくって投げ下ろす作業は、転倒に気を配りながらの重労働を強いられる。このような危険を伴う作業であるのにもかかわらず、労働安全衛生法の規制を受けることはない。よって、安全帯の使用についても奨励されることはない。実際問題として、安全帯を着用しても、屋根には安全帯のフックを係止できる金具等が存在しない。
【０００８】
本発明は、このような点に鑑みてなされたものであり、屋根の上に容易に登ることができ、屋根の上での作業を安全に行うことができる屋根ハッチ及び止金具を提供することを目的とする。
【課題を解決するための手段】
【０００９】
上記目的を達成するために、本発明の第１の観点に係る屋根ハッチは、
建物の屋根に形成された貫通孔を覆って立設される屋根ハッチであって、
底面を構成する、人が通過可能な大きさの第１の開口が形成された底板と、
天井面を構成する、人が通過可能な大きさの第２の開口が形成された天井板と、
前記底板と前記天井板とを連設して外周面を構成する外周板と、
前記第１の開口に開閉可能に設けられた、閉状態において前記第１の開口における連通を遮断する底蓋と、
前記第２の開口に開閉可能に設けられた天蓋と、
前記底板の上面付近に前記外周板の下端部を貫通して設けられ、前記底板上の水を外部に排出させる排水通路と、
を備えることを特徴とする。
【００１０】
前記外周板には人が通過可能な大きさの第３の開口が形成され、
当該第３の開口に開閉可能に設けられた扉をさらに備えていてもよい。
【００１１】
安全帯を係止するための係止部をさらに備えていてもよい。
【００１２】
本発明の第２の観点に係る止金具は、
屋根の棟を挟持する一対のクランプと、
当該一対のクランプを連接する、少なくとも２以上の部材から構成される本体部と、を備え、
前記本体部は、
安全帯を係止するための係止部を有し、
部材同士を締結部品により締結して組み立てられ、
前記締結部品による締結位置を変更することにより、両クランプ間の距離を変更することが可能に構成されている、
ことを特徴とする。
【００１３】
前記本体部の部材間に挟まれるスペーサをさらに備えていてもよい。
【００１４】
前記スペーサは、前記本体部の部材との両接合面がハの字形に配置されていてもよい。
【発明の効果】
【００１５】
本発明によれば、屋根の上に容易に登ることができ、屋根の上での作業を安全に行うことができる。
【図面の簡単な説明】
【００１６】
【図１】本発明の実施形態に係る屋根ハッチと、止金具と、を備えた雪下ろし器具の斜視図である。
【図２】雪下ろし器具の断面図である。
【図３】止金具の正面図である。
【図４】止金具の側面図である。
【図５】（ａ）及び（ｂ）はスペーサの取付方法を説明するための図である。
【図６】止金具の他の固定方法を説明するための図である。
【図７】複数の止金具の連結方法を示す正面図である。
【図８】複数の止金具の連結方法を示す側面図である。
【図９】放水による雪下ろし方法を説明するための図である。
【図１０】変形例によるクランプを示す断面図である。
【図１１】変形例による止金具を示す正面図である。
【図１２】（ａ）はセンター金具の正面図であり、（ｂ）はセンター金具の側面図である。
【図１３】（ａ）は平座金の正面図であり、（ｂ）はテーパ座金の正面図である。
【図１４】変形例による屋根ハッチを示す斜視図である。
【発明を実施するための形態】
【００１７】
以下、本発明の実施形態に係る屋根ハッチ１０及び止金具５０について図面を参照して詳細に説明する。
【００１８】
図１は、屋根ハッチ１０と、止金具５０と、を備えた雪下ろし器具１の斜視図であり、図２は、雪下ろし器具１を屋根７０の棟７１が延びる方向から見た断面図である。
【００１９】
屋根ハッチ１０は、底板１１と、天井板２１と、４枚またはそれ以上の側面板３１と、で囲われおり、箱状に形成されている。底板１１、天井板２１及び側面板３１はいずれも積雪に対する耐圧性を有する部材、例えば、鋼材から構成されている。
【００２０】
底板１１は、屋根ハッチ１０の設置状態において水平に配置される。底板１１には、人が通過することが可能な大きさを有する方形の第１の開口１２が形成されている。第１の開口１２の形状は、方形に限られず、例えば、円形であってもよい。第１の開口１２には、蝶番１３により底板１１に固定された、蝶番１３の軸を中心として回動自在の方形の片開きの底蓋１４が設けられている。底蓋１４の形状も方形に限られず、例えば、円形であってもよい。
【００２１】
底蓋１４の第１の開口１２の縁と重なる部分には、弾性を有するゴム製のパッキン１５が全周にわたって貼付されていることが好ましい。底蓋１４を閉じた状態では、底蓋１４と第１の開口１２の縁との間にパッキン１５が挟まれる。それにより、第１の開口１２における連通が遮断され、液密及び気密が保たれる。
【００２２】
底蓋１４の表面・裏面には取手（図示せず）が取り付けられていることが好ましく、その場合には、表面・裏面のどちらからでも底蓋１４を開閉することができる。また、底板１１と底蓋１４との間には、ロック機構付きのステー（図示せず）が取り付けられており、底蓋１４を開状態で保持することが可能になっていることが好ましい。ロック機構付きのステーが取り付けられていることで、底蓋１４に手が挟まれるなどの事故が防止される。
【００２３】
天井板２１は、２１ａ及び２１ｂの２辺が山形に折り曲げられており、いずれの面も底板１１に対して傾斜している。天井板２１ｂには、人が通過することが可能な大きさを有する方形の第２の開口２２が形成されている。第２の開口２２の形状は、方形に限られず、例えば、円形であってもよい。第２の開口２２には、蝶番２３により天井板２１ｂに固定された、蝶番２３の軸を中心として回動自在の方形の片開きの天蓋２４が設けられている。蝶番２３は、第２の開口２２が設けられた傾斜板の下方に取り付けられている。天蓋２４の形状も方形に限られず、例えば、円形であってもよい。
【００２４】
天井板２１は、第２の開口２２が形成される天井板２１ｂが傾いていれば山形に形成されていなくてもよく、例えば、天井板２１ａがなく天井板２１ｂのみの一平面に形成されていてもよい。
【００２５】
天蓋２４の第２の開口２２の縁と重なる部分には、弾性を有するゴム製のパッキン２５が全周にわたって貼付されていることが好ましい。天蓋２４を閉じた状態では、天蓋２４と第２の開口２２の縁との間にパッキン２５が挟まれる。それにより、第２の開口２２における連通が遮断され、液密及び気密が保たれる。なお、万が一、融雪等によって生じた水が第２の開口２２を通過したとしても、上述した底蓋１４を閉じていれば、通過した水は、建物内に流れ込むことなく後述する排水管３６から排水されるので問題はない。
【００２６】
天蓋２４の表面・裏面には取手（図示せず）が取り付けられていることが好ましく、その場合には、表面・裏面のどちらからでも天蓋２４を開閉することができる。天井板２１ｂと天蓋２４との間には、底蓋１４と同様のロック機構付きのステー（図示せず）が取り付けられていることが好ましい。
【００２７】
側面板３１のうち、天井板２１ａの長辺に連続する側面板３１（図２における左側の側面板３１）には、縦長の長方形に形成された第３の開口３２が形成されていることが好ましい。この第３の開口３２は、人が屈んで通ることが可能な大きさに形成されている。第３の開口３２には、蝶番３３により側面板３１に固定された、蝶番３３の軸を中心として回動自在の方形の片開きの扉３４が設けられている。なお、第３の開口３２及び片開きの扉３４の形状は上述のものに限られない。
【００２８】
扉３４の裏面の第３の開口３２の縁と重なる部分には、弾性を有するゴム製のパッキン３５が全周にわたって貼付されていることが好ましい。扉３４を閉じた状態では、扉３４と第３の開口３２の縁との間にパッキン３５が挟まれる。それにより、第３の開口３２における連通が遮断され、液密及び気密が保たれる。なお、万が一、融雪等によって生じた水が第３の開口３２を通過したとしても、底蓋１４を閉じていれば、通過した水は、建物内に流れ込むことなく後述する排水管３６から排水されるので問題はない。
【００２９】
扉３４の表面・裏面には取手３４ａ（表面のもののみ図１に図示）が取り付けられており、表面・裏面のどちらからでも扉３４を開閉することができる。
【００３０】
第３の開口３２が形成された側面板３１には、上端部と下端部のそれぞれに（図１では上端部に１つ、下端部に２つ）係止具３９が設けられていることが好ましい。係止具３９は、丸鋼をコの字形に折り曲げたものである。この係止具３９は、後述するように、安全帯のフックを係止するためのものである。なお、係止具３９は、安全帯のフックを係止することが可能なものであればよく、例えば、板材に孔を形成したものでもよく、市販のアイボルトやアイナットでもよい。係止具３９の数量は、適宜変更することが可能である。
【００３１】
第３の開口３２が形成された側面板３１の下端部には、ニップルが貫通して固定されており、ニップルの屋根ハッチ１０の外側に露出した端には、エルボが口を底板１１側に向けて固定されていることが好ましい。このニップルとエルボとが排水管３６を構成している。作業中に着衣に付着した雪が屋根ハッチ１０内に落ちた場合でも、底板１１上で融雪した水は、この排水管３６から屋根ハッチ１０の外に排出される。
【００３２】
排水管３６の下には、屋根ハッチ１０の幅方向及び前後方向に延びるコの字状に形成された第１の庇４１が設けられていることが好ましい。第１の庇４１は、屋根７０と平行になるように傾いて側面板３１に固定されていることが好ましい。この第１の庇４１があることにより、屋根ハッチ１０と屋根７０の境目に雪が積もることが回避される。また、排水管３６から排出された水は、第１の庇４１の表面を流れ落ちて、第１の庇４１の先端から屋根７０の上に落ちる。第１の庇４１は、積雪に対する耐圧性を有するとともに、作業者が上に乗っても耐える強度を有することが好ましい。
【００３３】
第３の開口３２が形成された側面板３１と対向する側面板３１の胴部には、側面板３１の幅方向全体にわたって延びる第２の庇４２が設けられていることが好ましい。第２の庇４２は、側面板３１に固定された側の端が上となり、他端が下となるような傾斜が付与されて固定されていることが好ましい。第２の庇４２は、積雪に対する耐圧性を有するとともに、作業者が上に乗っても変形しないだけの強度を有することが好ましい。
【００３４】
第３の開口３２が形成された側面板３１以外の側面板３１の少なくとも１つの内壁には、昇降用のタラップ４３が設けられていることが好ましい。後述するように、タラップ４３は、作業者が天蓋２４から屋根ハッチ１０外に出る際の足場とすることができる。
【００３５】
次に、図３及び図４を参照しながら止金具５０について説明する。止金具５０は、例えば、蹄鉄形に形成された鉄製の金具である。止金具５０には防錆処理が施してある。止金具５０は分割構造を有し、本体部を構成する一対のセンタープレート５１と、センタープレート５１に連接される本体部を構成するサイドプレート５２と、サイドプレート５２に連接されるクランプ５３と、センタープレート５１に挟まれるスペーサ５４ａと、から構成されている。センタープレート５１及びサイドプレート５２が止金具５０の本体部を構成する。クランプ５３は、２枚のサイドプレート５２，５２間の一端部に設けられて、シャフト孔５２ｂを貫通するシャフト５３ｅを中心として揺動自在に取り付けられている。
【００３６】
センタープレート５１及びサイドプレート５２には、ボルト孔５１ａ，５２ａがそれぞれ形成されており、互いにボルトで締結されている。センタープレート５１には４つのボルト孔５１ａが、サイドプレート５２には３つのボルト孔５２ａが、それぞれ形成されている。ボルト孔の数が互いに異なるので、センタープレート５１に対するサイドプレート５２の固定位置をスライドさせて、止金具５０を、固定する場所に対応させて、伸縮させることができる。なお、ボルト孔５１ａ，５２ａの数量は上記のものに限られない。ボルト孔５１ａ，５２ａの数量は、止金具５０の大きさと、ボルト孔５１ａ，５２ａのピッチ寸法により変化するので、止金具５０の型式ごとに異なる。
【００３７】
センタープレート５１には、シャックルＳを固定するための係止孔５１ｂが形成されている。後述するように、シャックルＳには安全帯のフックが係止される。係止孔５１ｂの代わりに上述のサイドプレート５２のボルト孔５２ａをシャックルＳの固定に用いることも可能である。シャックルＳの取付位置が低いほど、止金具５０に作用する回転モーメントが小さくなるので、下側のボルト孔５２ａが余っている場合には、そのボルト孔５２ａを利用してシャックルＳをより低い位置に固定することが好ましい。
【００３８】
センタープレート５１，５１の間には、スペーサ５４ａ（及び／またはスペーサ５４ｂ）を挟むことが可能である。スペーサ５４ａ，５４ｂは幅を調整するためのものなので、複数挟んでもよく、１個も挟まなくてもよい。図３に示すタイプのスペーサ５４ａは、両フランジ面が平行である。これに対し、図５に示すタイプのスペーサ５４ｂは、両フランジ面が平行でなく、若干「ハ」の字形に開いている。したがって、スペーサ５４ｂの短辺側を止金具５０の内側に向けた場合（図５（ａ）参照）と、スペーサ５４ｂの長辺側を止金具５０の落ち側に向けた場合（図５（ｂ）参照）とで、湾曲の度合いを変化させて、両クランプ５３，５３間の距離を異ならせることができる。
【００３９】
クランプ５３は、シュー５３ａと、シュー５３ａがボルト（図示せず）で締結され端部がＬ字形に折り曲げられたシュー取付プレート５３ｂと、シュー取付プレート５３ｂの背面に対して一端が垂直に回転自在に固定され、他端に回転させるための六角頭が設けられたねじ５３ｃと、ねじ５３ｃが螺動自在に挿入されたトラニオン５３ｄと、トラニオン５３ｄの両側面に立設されたシャフト５３ｅと、ロックナット５３ｆと、を備える。シュー５３ａは弾性を有するゴム製であり、シュー取付プレート５３ｂ、ねじ５３ｃ、トラニオン５３ｄ、シャフト５３ｅ及びロックナット５３ｆは鉄製であり、それらの表面には、防錆のためのメッキが施されていることが好ましい。あるいは、シュー取付プレート５３ｂ、ねじ５３ｃ、トラニオン５３ｄ、シャフト５３ｅ及びロックナット５３ｆをステンレス製としてもよく、その場合には、これらの部品が錆びなくなり、維持管理が容易になる。
【００４０】
ねじ５３ｃの六角頭にスパナ等を掛けて回転させると、シュー５３ａはねじ５３ｃの軸方向に移動する。上述したように、シュー５３ａを固定するシュー取付プレート５３ｂに対してねじ５３ｃが、その軸線を中心として回転自在に固定されているので、シュー５３ａが物に当たった状態では、ねじ５３ｃを回転させてもシュー５３ａ及びシュー取付プレート５３ｂは回転しない。
【００４１】
次に、図２を参照しながら、屋根ハッチ１０の屋根７０への取付方法について説明する。屋根７０には、予め野地板９１を貫通する開口９１ａを例えば棟７１の付近に形成しておき、その開口を通して梁９２を土台とする木枠９３を組む。木枠９３と野地板９１との境目には防水処理を施し、その境目から建物内への水の侵入を防止する。そして、屋根ハッチ１０を扉３４が屋根７０の傾斜の下端を向くような向きで木枠９３の上に被せてから、屋根ハッチ１０の下端部を木枠９３にボルトで固定する。屋根７０に屋根ハッチ１０を取り付けた状態では、第２の庇４２が冠瓦７２の上を覆っている。これにより、冠瓦７２と屋根ハッチ１０との間に雪が積もることが回避される。なお、屋根ハッチ１０の屋根７０への取付位置は、棟７１の付近に限られない。また、図１及び図２に示す屋根７０は傾斜が設けられているが、傾斜が設けられていない平らな屋根７０であってもよい。
【００４２】
次に、図３を参照しながら、止金具５０の屋根７０への固定方法について説明する。まず初めに、ねじ５３ｃを回転させて、シュー５３ａを退避させておく。次に、止金具５０を、冠瓦７２を跨ぐようにして配置する。次に、ねじ５３ｃを前記と反対方向に回転させ、シュー５３ａを冠瓦７２の下に重ねて設けられたのし瓦７３に向かって前進させる。そして、シュー５３ａがのし瓦７３に押し付けられ、ねじ５３ｃが所定の締付トルクでそれ以上回転しなくなったら、ロックナット５３ｆを締め込むことでねじ５３ｃを固定して、止金具５０の取り付けを完了する。止金具５０は、のし瓦７３を挟持した状態で固定される。シュー取付プレート５３ｂはＬ字形であることが好ましく、その場合には、図３に示すように、最下段ののし瓦７３にシュー取付プレート５３ｂの爪（折曲部）を引っ掛けることが好ましい。
【００４３】
もう一つの止金具５０の屋根７０への固定方法は、図６に示すものである。上述の方法では、シュー５３ａによりのし瓦７３を挟持したが、本方法では、シュー５３ａにより、のし瓦７３の下部と瓦の上面との間に設けられた漆喰７５を挟持するものである。この方法により止金具５０を屋根７０に固定する場合には、シュー取付プレート５３ｂに爪を設けないことが好ましい。なお、漆喰７５が緩く不安定な場合には、モルタルを打ち直すか、当てもので補強することになる。漆喰７５に相当する部分を防水モルタル等で構成してもよい。
【００４４】
止金具５０は、屋根７０に等間隔に複数取り付けられる。止金具５０同士の間隔は、安全帯のフックの掛け直しが安全に行えるような間隔に設定する。止金具５０の数量は、屋根７０の大きさ（棟７１の長さ）に応じて定まる。
【００４５】
上述のように、止金具５０の屋根７０への固定は、棟瓦をシュー５３ａで挟持するだけなので、取り付けのための屋根７０への加工を必要としない。
【００４６】
なお、冠瓦７２及びのし瓦７３には、屋根７０の棟木に固定した銅線を垂直に伸ばして、のし瓦７３と冠瓦７２を貫通させて縛り付ける固定方法、あるいは、冠瓦７２の天端に形鋼を載せておき、その形鋼を銅線で縛り付ける固定方法が一般的に施されている。
【００４７】
棟瓦には、作業者が転倒して止金具５０が急激に引っ張られても、それに耐えるだけの強度が必要とされる。棟瓦が必要な強度を有しているか否かの判断は、棟瓦の寸法、固定方法、老朽度、漆喰７５の状態などに応じて行われる。強度が不足している様な場合には、必要な対策を講じることとなる。棟瓦の強度を確認するために、破壊テストを行うことも考えられるが、全ての棟瓦について破壊テストを行うことは困難であり、現実的ではない。そこで、止金具５０に掛かる荷重を減ずることが考えられる。具体的な方法として、例えば、スプリングやゴムロープなどの弾性を有する部材を介して、止金具５０に安全帯を係止することが考えられる。そのような対策を施すことにより、止金具５０に瞬間的に過大な荷重が掛かることが回避されるとともに、作業者が受ける衝撃も小さくすることができる。
【００４８】
また、棟瓦の一部に集中的な荷重が掛かることを回避するために、例えば、図７及び図８に示すように、離間して配置された２つの止金具５０同士を一対の長パイプ５５で連結し、長パイプ５５に設けられた係止金具５５ａに安全帯のフックを係止するようにしてもよい。長パイプ５５は、サイドプレート５２に取り付けられたパイプクランプ５６により支持される。パイプクランプ５６は、サイドプレート５２にクランプ支持ボルト５６ａによりクランプ支持ボルト５６ａを中心として回動可能に固定されている。係止金具５５ａは、両止金具５０，５０までの距離が等しくなるような位置に設けられていることが好ましい。それにより、各止金具５０に掛かる荷重が、非連結時の２分の１になる。
【００４９】
棟瓦の強度が十分である場合でも、止金具５０同士を長パイプ５５で連結して、長パイプ５５に安全帯のフックを係止すれば、屋根７０の棟７１に沿った方向の作業者の移動範囲が広がるとともに、止金具５０の数量を少なくすることができる。この場合には、長パイプ５５に係止金具５５ａを設けないことが好ましい。それにより、安全帯のフックが係止金具５５ａに引っ掛かることが回避され、移動を滑らかに行うことができる。
【００５０】
止金具５０は、１年を通じて屋根７０に取り付けたままでもよく、冬になる前に屋根７０に取り付けて、冬が過ぎてから屋根７０から取り外してもよい。また、建物の建築時に取り付けてもよい。いずれにしても、常時使用するものではないので、使用前点検を励行しなくてはならない。
【００５１】
次に、雪下ろし器具１を用いた雪下ろしの方法について図１及び２を参照しながら説明する。作業者は、積雪量が屋根ハッチ１０の天蓋２４まで達する前に、建物内に設けられた常設の梯子や折り畳み式の梯子等の昇降器具により、屋根ハッチ１０の底板１１の近傍まで登り、底蓋１４を開けて第１の開口１２から屋根ハッチ１０内に入る。屋根ハッチ１０内に入ったら、天蓋２４を開ける。天蓋２４の蝶番２３が傾斜の下側にあるので、天蓋２４を開けると、天蓋２４上に積もった雪は、天蓋２４上を滑って、屋根７０の上に落ちる。天井板２１が水平な底板１１に対して傾斜しているので、天蓋２４上に雪は積もりにくい。
【００５２】
天蓋２４を開けたら、タラップ４３を足場として上に登り、係止具３９に安全帯のフックを係止してから、第２の開口２２から屋根７０の上に出る。なお、天蓋２４を開けて屋根ハッチ１０の周囲を見渡した際に、扉３４の前の積雪量が少ない場合には、屋根ハッチ１０内からスコップを使って、扉３４を開けられるように雪を除去すればよい。それにより、第２の開口２２から出る必要がなくなり、第３の開口３２から屋根７０の上に出ることが可能になる。
【００５３】
屋根ハッチ１０の周囲の積雪量が多い場合、第２の開口２２から屋根ハッチ１０の外に出た作業者は、まず扉３４の前に積もった雪を取り除いて、扉３４を開閉可能にする。扉３４を開閉可能にすることで、後続の作業者が第３の開口３２から屋根７０の上に出ることが可能になる。例えば、父親が最初に第２の開口２２から屋根７０の上に出て、それに続く母親や子供が第３の開口３２から屋根７０の上に出るということが考えられる。また、単独で雪下ろしを行う場合でも、扉３４の開閉が可能になることで、道具の出し入れ等がし易くなる。
【００５４】
作業者は、安全帯が届く範囲で屋根ハッチ１０周辺の雪下ろしを行う。そして、屋根ハッチ１０周辺の雪下ろしが済んだら、安全帯を屋根ハッチ１０から一番近い止金具５０のシャックルＳに係止し直して、安全帯が届く範囲で雪下ろしを行う。
【００５５】
雪が積もった状態では、止金具５０が雪の下に隠れているが、止金具５０の取付時における屋根ハッチ１０との間隔を記録しておけば、止金具５０の発見はそれほど困難ではない。その後も安全帯を係止する止金具５０を代えながら、屋根７０全体の雪下ろしを行う。屋根７０全体の雪下ろしが完了したら、安全帯を係止する止金具５０を代えながら、屋根ハッチ１０まで戻り、建物内に戻る。
【００５６】
上述の雪下ろしの方法は、屋根７０における積雪量が多くなってからの雪下ろしの例である。屋根７０における積雪量が多い場合には、雪が締まっているので、スコップで雪を切り崩しながら雪下ろしを行う。これに対して、屋根７０における積雪量がまだ少なく雪が緩い場合には、図９に示すように、高圧洗浄機１０１を用い、水圧で雪を砕き、融雪しながら屋根７０の上の雪を除去することも可能である。高圧洗浄機１０１は、放水銃１０１ａを備える。高圧洗浄機１０１の使用目的は、建設機械に付着した泥の除去、型枠、ベニヤ板に付着のモルタルのはがし等であり、最近は放射能の除染作業にも使用されており、用途は広い。
【００５７】
図９を参照しながら、高圧洗浄機１０１を用いた雪下ろし方法について説明する。作業者は、屋根ハッチ１０から屋根７０の上に出る。積雪が扉３４の下端に達していない場合には、扉３４を開けて第３の開口３２から屋根７０の上に出る。積雪が扉３４の下端を超えている場合には、天蓋２４を開けて第２の開口２２から屋根の上に出る。屋根７０の上に出たら、係止具３９及び止金具５０を用いて、安全帯により安全を確保しながら高圧洗浄機による散水を行う。
【００５８】
屋根７０の上で雪が溶けた水と散水による水は、雨樋７４を伝わって下に流れる。通常はその水を地面や排水溝に流しているが、その水を貯水槽１０２で受けて、蓄えた水を水中ポンプ１０３で汲み上げて、高圧洗浄機１０１から噴射する。それにより、水道代を節約することができる。水中ポンプ１０３の吐出量は、高圧洗浄機１０１の吐出量を上回っていることが好ましい。水中ポンプ１０３から高圧洗浄機１０１までの水路１０４は、建物内に通したホースでもよく、建物に設けられた配管でもよい。水路１０４を建物に設けることで、屋根７０の上に貯水槽を配置する必要が無くなり、それにより、準備が軽作業になる。
【００５９】
高圧洗浄機１０１及び水中ポンプ１０３の運転／停止は、高圧洗浄機１０１に接続された操作スイッチ１０５によって切り換えることが好ましい。それにより、高圧洗浄機１０１及び水中ポンプ１０３の水が無い状態での空運転が防止される。
【００６０】
以上のように、本実施形態の屋根ハッチ１０によれば、屋根７０に上がることが容易になる。それにより、業者に依頼しなくても自身で雪下ろしを行うことが可能になる。雪下ろしの頻度が高まれば、屋根７０における積雪量が少なくなるので、スコップを用いた重労働の雪下ろしではなく、散水による軽作業の雪下ろしで済む。また、散水による雪下ろしの場合には、雪が溶けて水になるので、屋根から落とした雪の処理が軽作業になる。
【００６１】
屋根ハッチ１０とともに止金具５０を用いて、雪下ろし作業を行うので、作業中は常に安全帯を係止させることができる。それにより、雪下ろし作業中の落下事故を防止することができる。
【００６２】
屋根ハッチ１０の天井板２１に第２の開口２２が形成されているので、屋根ハッチ１０の周囲が雪に囲まれている状態でも、天蓋２４を開けて、第２の開口２２から屋根７０，８０の上に出ることができる。また、屋根ハッチ１０の設置状態において、天井板２１は、水平面に対して傾いているので、天蓋２４の上には、雪が積もりにくく、それにより、天蓋２４の開閉を容易に行うことができる。
【００６３】
側面板３１の上端部に係止具３９が固定されているので、第２の開口２２から屋根の上に出る前に、係止具３９に安全帯のフックを係止することができる。
【００６４】
なお、本発明は、説明した実施形態に限定されることなく、種々の態様で実施することができる。
【００６５】
例えば、止金具５０のクランプ５３を、図１０に示す変形例のクランプ１５３のように構成してもよい。変形例のクランプ１５３は、シュー１５３ａと、シュー１５３ａがボルト（図示せず）で締結され端部がＬ字形に折り曲げられたシュー取付プレート１５３ｂと、シュー取付プレート１５３ｂの背面に一端が一体に固定され他端に雄ねじが形成されたガイド棒１５３ｃと、ガイド棒１５３ｃが挿通されたアジャストパイプ１５３ｄと、貫通孔である雌ねじ孔が形成されたトラニオン１５３ｅと、トラニオン１５３ｅの両側面に立設されたシャフト（図示せず）と、軸方向に貫通する貫通孔が形成され一端部に六角頭が設けられた、雄ねじであるスラストねじ１５３ｆと、スラストねじ１５３ｆに取り付けられたロックナット１５３ｇと、ガイド棒１５３ｃの雄ねじに取り付けられた脱落防止ナット１５３ｈと、を備える。シュー１５３ａ及びシュー取付プレート１５３ｂは、前述のシュー５３ａ及びシュー取付プレート５３ｂと同じものである。
【００６６】
クランプ１５３の組み立て方法について説明する。まず、シュー取付プレート１５３ｂの前面にシュー１５３ａをボルト（図示せず）で固定する。次に、アジャストパイプ１５３ｄをガイド棒１５３ｃの中に挿通させる。次に、スラストねじ１５３ｆにロックナット１５３ｇを取り付けてから、スラストねじ１５３ｆをトラニオン１５３ｅにねじ込む。次に、スラストねじ１５３ｆに六角頭が設けられていない側からガイド棒１５３ｃを差し込む。そして、ガイド棒１５３ｃがスラストねじ１５３ｆから抜け落ちないように、ガイド棒１５３ｃの先端に脱落防止ナット１５３ｈをねじ込んだら、クランプ１５３の完成である。
【００６７】
トラニオン１５３ｅは、サイドプレート５２に取り付けられた状態では、サイドプレート５２に対してシャフトを中心として揺動自在であり、ガイド棒１５３ｃは、トラニオン１５３ｅに対して回転自在である。シュー１５３ａの位置を決めてから、スラストねじ１５３ｆをねじ込み、ロックナット１５３ｇによりロック状態にすると、止金具５０が棟瓦に安定した状態で固定される。
【００６８】
また、止金具５０を、図１１に示す変形例の止金具６０のように構成してもよい。前述した止金具５０は、冠瓦７２を備える屋根７０に用いるものであるが、変形例の止金具６０は、棟包み８１を備える屋根８０に用いるものである。図１１に示す屋根８０は傾斜が設けられているが、傾斜が設けられていない平らな屋根８０であってもよい。図１１に示すように、止金具６０は、ハの字形に形成された金具である。止金具６０は分割構造を有し、センター金具６１と、一対のセンタープレート６２と、一対のサイドプレート６３と、一対の押さえボルト６４と、ロックナット６５と、から構成されている。センタープレート６２及びサイドプレート６３が止金具６０の本体部を構成する。
【００６９】
図１２に示すように、センター金具６１は台形の形状を有し、センター金具６１には、センタープレート６２とボルトで締結するための２つのボルト孔６１ａとシャックルＳを通すための１つの係止孔６１ｂとが互いに交叉して形成されている。
【００７０】
センタープレート６２は、一端部が、センター金具６１を挟んで締結するときのボルト、ナットに市販のテーパー座金を採用できるような角度で折り曲げられたＬ字形の金具であり、短辺側にはセンター金具６１との締結用の２つのボルト孔（図示せず）が、長辺側の端部にはサイドプレート６３との締結用の孔（図示せず）が形成されている。サイドプレート６３との締結用の孔は実際に締結に用いる孔の他に、調整用の孔が形成されている。ボルトを通す孔を変更することで、センタープレート６２に対するサイドプレート６３の固定位置が変更される。それにより、止金具６０の幅が変わる。止金具６０の取付寸法を変更するために、ボルトの位置換えをしたときのボルト・ナットの締結は、トルクレンチを使用して管理するか、それと同様の方法で行うことが重要である。
【００７１】
サイドプレート６３は一端部が折り曲げられたＬ字形の金具であり、長辺側の端部には、センタープレート６２との締結用のボルト孔（図示せず）が、短辺側の中央には押さえボルト６４を通す１つのタップ孔（図示せず）が形成されている。押さえボルト６４の先端には、弾性を有するゴム製の緩衝キャップ６４ａが取り付けられていることが好ましい。
【００７２】
センター金具６１とセンタープレート６２との間には、平座金６６ａ（図１３（ａ）参照）を挟むことができる。それにより、止金具６０の幅を拡げることができる。また、平座金６６ａに加えてまたは代えて、くさび形のテーパー座金６６ｂ（図１３（ｂ）参照）を挟むこともできる。テーパー座金６６ｂを挟むことで、幅の拡大に加えて、両センタープレート６２の成す角度（以下「挟角」という）θを変更することができる。具体的には、テーパー座金６６ｂを、幅の広い側を図１１における上側になるように挟んだ場合には、挟角θが小さくなり、テーパー座金６６ｂを、幅の広い側を図１１における上側になるように挟んだ場合には、挟角θが大きくなる。
【００７３】
止金具６０を屋根７０に固定する際には、押さえボルト６４によって棟包み８１を挟持する。その状態でロックナット６５を締め込み、押さえボルト６４が緩むことを防止する。止金具６０の使用方法は、前述した止金具５０と同様であり、センター金具６１にシャックルＳを取り付けて、シャックルＳに安全帯のフックを係止して使用する。
【００７４】
なお、実施形態では、屋根ハッチ１０を雪下ろし器具１に用いているが、これに限らず、降雪期以外に、または積雪地帯以外の地域において、屋根７０の点検口として用いてもよい。屋根ハッチ１０を設けることでソーラーパネル、給水塔及びアンテナ等の屋根７０の上に設けられた設備の点検が容易になるのに加えて、屋根７０自体の点検・修理も容易になる。
【００７５】
実施形態では、屋根ハッチ１０の断面形状は方形であるが、その他の断面形状、例えば、円形であってもよい。
【００７６】
また、実施形態では、蹄鉄形の止金具５０またはハの字形の止金具６０を用いているが、止金具５０，６０の形状はこれに限られない。屋根７０の棟の形状に合わせて適宜変更可能である。
【００７７】
実施形態では、止金具５０，６０にシャックルＳを取り付けて、シャックルＳに安全帯のフックを係止しているが、シャックルＳに代えてアイボルトやアイナットを取り付けてもよい。また、止金具５０，６０に安全帯のフックを直接、係止してもよい。
【００７８】
実施形態では、屋根ハッチ１０の筐体が上下一体に構成されているが、図１４に示すように、上部筐体１０ａと下部筐体１０ｂとに分割される分割構造としてもよい。その場合には、下部筐体１０ｂを木枠９３に固定してから、上部筐体１０ａの下部フランジを下部筐体１０ｂの上部フランジにボルト・ナット等により連結する。屋根ハッチ１０を分割構造とした場合には、屋根ハッチ１０の上部筐体１０ａと下部筐体１０ｂとを別々に交換することができる。
【００７９】
また、屋根ハッチ１０を分割構造とした場合には、上部筐体１０ａを量産することが可能となるため、原価を抑えることができる。一方、下部筐体１０ｂは、屋根７０，８０の勾配に合わせて製作する必要があるので、役物としてその都度設計が必要になる。ただし、屋根７０，８０に傾斜が設けられておらず平らな場合には、下部筐体１０ｂも量産することが可能である。屋根ハッチ１０を分割する他の利点として、一体構造の場合には例えば１８６ｋｇに達する重量を、各部品の単体では１００ｋｇ以下にできることが挙げられる。重量が１００ｋｇ以下であれば、梯子に荷台を昇降させる設備や太陽光発電システム施工用の市販設備を、屋根ハッチ１０を屋根７０まで持ち上げる作業に用いることができる。さらに、屋根７０，８０に下部筐体１０ｂのみを取り付けた状態で、建物との取り合いを行うことや野地板９１の防水施工を行うことができ、設置作業が容易になる。
【００８０】
その他、本発明の趣旨の範囲内で、細部の構成を適宜、変更することが可能である。
【符号の説明】
【００８１】
１    雪下ろし器具
１０    屋根ハッチ
１０ａ  上部筐体
１０ｂ  下部筐体
１１    底板
１２    第１の開口
１３    蝶番
１４    底蓋
１５    パッキン
２１    天井板
２１ａ  天井板
２１ｂ  天井板
２２    第２の開口
２３    蝶番
２４    天蓋
２５    パッキン
３１    側面板（外周板）
３２    第３の開口
３３    蝶番
３４    扉
３４ａ  取手
３５    パッキン
３６    排水管（排水通路）
３９    係止具（係止部）
４１    第１の庇
４２    第２の庇
４３    タラップ
５０    止金具
５１    センタープレート（本体部）
５１ａ  ボルト孔
５１ｂ  係止孔
５２    サイドプレート（本体部）
５２ａ  ボルト孔
５３ｂ  シャフト孔
５３    クランプ
５３ａ  シュー
５３ｂ  シュー取付プレート
５３ｃ  ねじ
５３ｄ  トラニオン
５３ｅ  シャフト
５３ｆ  ロックナット
５４ａ  スペーサ
５４ｂ  スペーサ
５５    長パイプ
５５ａ  係止金具
５６    パイプクランプ
５６ａ  クランプ支持ボルト
６０    止金具
６１    センター金具
６１ａ  ボルト孔
６１ｂ  係止孔
６２    センタープレート（本体部）
６３    サイドプレート（本体部）
６４    押さえボルト
６４ａ  緩衝キャップ
６５    ロックナット
６６ａ  平座金
６６ｂ  テーパ座金
７０    屋根
７１    棟
７２    冠瓦
７３    のし瓦
７４    雨樋
７５    漆喰
８０    屋根
８１    棟包み
９１    野地板
９１ａ  開口
９２    梁
９３    木枠
１０１    高圧洗浄機
１０１ａ  放水銃
１０２    貯水槽
１０３    水中ポンプ
１０４    水路
１０５    操作スイッチ
１５３    クランプ
１５３ａ  シュー
１５３ｂ  シュー取付プレート
１５３ｃ  ガイド棒
１５３ｄ  アジャストパイプ
１５３ｅ  トラニオン
１５３ｆ  スラストねじ
１５３ｇ  ロックナット
１５３ｈ  脱落防止ナット
【図１】
2014101681.tif 000003
【図２】
2014101681.tif 000004
【図３】
2014101681.tif 000005
【図４】
2014101681.tif 000006
【図５】
2014101681.tif 000007
【図６】
2014101681.tif 000008
【図７】
2014101681.tif 000009
【図８】
2014101681.tif 000010
【図９】
2014101681.tif 000011
【図１０】
2014101681.tif 000012
【図１１】
2014101681.tif 000013
【図１２】
2014101681.tif 000014
【図１３】
2014101681.tif 000015
【図１４】
2014101681.tif 000016